(57)【特許請求の範囲】
【請求項１】
生体情報測定手段により連続的に測定される生体情報を監視するための生体情報監視装置であって、
前記生体情報が正常である期間に測定された生体情報を記憶する生体情報記憶手段と、
前記生体情報が予め設定された判断基準範囲を超える異常であるか否かを判定する異常判定手段と、
該異常判定手段により前記生体情報が異常であると判定された場合には、異常時の生体情報と前記生体情報記憶手段に記憶されている正常時の生体情報とを、共通の表示領域内で対比可能に表示させる表示制御手段とを含み、
前記生体情報測定手段は、前記生体の心拍に同期して発生する脈波を前記生体情報として出力するものであり、前記表示制御手段は、時間軸と信号値軸とから成る共通の二次元座標内において、正常時の脈波列に対して異常時の脈波列を表示させるものであることを特徴とする生体情報監視装置。
【請求項２】
生体情報測定手段により連続的に測定される生体情報を監視するための生体情報監視装置であって、
前記生体情報が正常である期間に測定された生体情報を記憶する生体情報記憶手段と、
前記生体情報が予め設定された判断基準範囲を超える異常であるか否かを判定する異常判定手段と、
該異常判定手段により前記生体情報が異常であると判定された場合には、異常時の生体情報と前記生体情報記憶手段に記憶されている正常時の生体情報とを、共通の表示領域内で対比可能に表示させる表示制御手段とを含み、
前記生体情報測定手段は、前記生体の心拍に同期して発生する脈波を前記生体情報として出力するものであり、前記表示制御手段は、時間軸と信号値軸とから成る共通の二次元座標内において、正常時の脈波と異常時の脈波とを相互の位相を一致させた状態で表示させるものであることを特徴とする生体情報監視装置。
【請求項３】
前記表示制御手段は、前記正常時の脈波および異常時の脈波の振幅および波長の少なくとも一方が相互に一致するように正規化を行う正規化処理手段を含み、該正規化処理手段により正規化された正常時の脈波および異常時の脈波を相互に重ねた状態で表示させるものである請求項２の生体情報監視装置。
【請求項４】
前記表示制御手段は、前記正規化処理手段により正規化された正常時の１つの脈波と異常時の１つの脈波との間の面積差を定量的に示す面積差指標値を算出する面積差指標値算出手段を含み、該面積差指標値算出手段により算出された面積差指標値を表示するものである請求項３の生体情報監視装置。
【発明の詳細な説明】
【０００１】
【産業上の利用分野】
本発明は、生体から繰り返し測定される生体情報を監視するための生体情報監視装置に関するものである。
【０００２】
【従来の技術】
たとえば、手術室或いは集中治療室において患者を監視するに際しては、血圧値、心拍数、血中酸素飽和度、体温などの生体情報が繰り返し測定され、それらの生体情報の値が予め設定された判断基準範囲を超えると異常信号を出力して報知する生体情報監視装置が提案されている。
【０００３】
一般に、上記のような従来の生体情報監視装置では、測定された生体情報が予め設定された判断基準範囲を超えたか否かを判定し、超えた場合には異常であることを示す異常信号を出力する異常判定手段が備えられている。その異常判定手段による異常信号の出力は、異常表示文字や測定値の点滅や表示色の変更、或いは異常を示す音声の出力により行われる。
【０００４】
【発明が解決すべき課題】
しかしながら、上記のような従来の異常信号の出力は、生体情報が予め設定された判断基準範囲を超えた場合において一律に実行されるので、僅かに判断基準範囲を超えたのか或いは大幅に超えたのかが不明であり、異常の程度すなわち緊急度を速やかに知ることができなかった。
【０００５】
本発明は、以上の事情を背景として為されたものであり、その目的とするところは、生体情報の異常の発生時においてその緊急度を判別することが可能な生体情報監視装置を提供することにある。
【０００６】
【課題を解決するための手段】
上記目的を達成するための本発明の要旨とするところは、生体情報測定手段により連続的に測定される生体情報を監視するための生体情報監視装置であって、(a) 前記生体情報が正常である期間に測定された生体情報を記憶する生体情報記憶手段と、(b) 前記生体情報が予め設定された判断基準範囲を超える異常であるか否かを判定する異常判定手段と、(c) その異常判定手段により前記生体情報が異常であると判定された場合には、異常時の生体情報と前記生体情報記憶手段に記憶されている正常時の生体情報とを、共通の表示領域内で対比可能に表示させる表示制御手段とを、含み、(d) 前記生体情報測定手段は、前記生体の心拍に同期して発生する脈波を前記生体情報として出力するものであり、(e) 前記表示制御手段は、時間軸と信号値軸とから成る共通の二次元座標内において、正常時の脈波列に対して異常時の脈波列を表示することを特徴とする。
【０００７】
【作用】
このようにすれば、生体情報記憶手段には、正常である期間に測定された生体情報が記憶される。異常判定手段により実際の生体情報が予め設定された判断基準範囲を超える異常であると判定されると、表示制御手段により、異常判定されたその生体情報と前記生体情報記憶手段に記憶されている正常時の生体情報とが時間軸と信号値軸とから成る共通の二次元座標内において共通の表示領域内で対比可能に表示される。
【０００８】
【発明の効果】
本発明によれば、上記のように、異常判定されたその生体情報と前記生体情報記憶手段に記憶されている正常時の生体情報とが共通の二次元座標内において異常判定されたその生体情報と前記生体情報記憶手段に記憶されている正常時の生体情報とが対比可能に表示されることから、正常時の脈波列と異常時の脈波列との相互の大きさを正確に対比することが可能となり、異常判定時において異常とされた生体情報と正常時の生体情報との差を見ることにより異常の程度すなわち緊急度を容易に判断することが可能となる。
【０００９】
【発明の他の態様】
ここで、前記目的を達成するための他の発明の要旨とするところは、生体情報測定手段により連続的に測定される生体情報を監視するための生体情報監視装置であって、(a) 前記生体情報が正常である期間に測定された生体情報を記憶する生体情報記憶手段と、(b) 前記生体情報が予め設定された判断基準範囲を超える異常であるか否かを判定する異常判定手段と、(c) 該異常判定手段により前記生体情報が異常であると判定された場合には、異常時の生体情報と前記生体情報記憶手段に記憶されている正常時の生体情報とを、共通の表示領域内で対比可能に表示させる表示制御手段とを含み、(d) 前記生体情報測定手段は、前記生体の心拍に同期して発生する脈波を前記生体情報として出力するものであり、(e) 前記表示制御手段は、時間軸と信号値軸とから成る共通の二次元座標内において、正常時の脈波と異常時の脈波とを相互の位相を一致させた状態で表示させることを特徴とする。本発明によれば、異常判定されたその生体情報と前記生体情報記憶手段に記憶されている正常時の生体情報とが共通の二次元座標内において、正常時の脈波と異常時の脈波とが相互の位相を一致させた状態で表示されるので、正常時の脈波と異常時の脈波との形状の対比が一層容易となる。
【００１１】
また、好適には、前記表示制御手段は、前記正常時の脈波および異常時の脈波の振幅および波長の少なくとも一方が相互に一致するように正規化を行う正規化処理手段を含み、その正規化処理手段により正規化された正常時の脈波および異常時の脈波を相互に重ねた状態で表示させる。このようにすれば、正常時の脈波および異常時の脈波の形状の変化を観察することが容易となる。
【００１２】
また、好適には、前記表示制御手段は、前記正規化処理手段により正規化された正常時の脈波と異常時の脈波との間の面積差を定量的に示す面積差指標値を算出する面積差指標値算出手段を含み、その面積差指標値算出手段により算出された面積差指標値を表示する。このようにすれば、正常時の脈波と異常時の脈波との間の波形形状の差が定量的に把握される利点がある。
【００１３】
【実施例】
以下、本発明の一実施例を図面に基づいて詳細に説明する。図１は本発明が適用された血圧監視装置８の構成を説明する図である。
【００１４】
図１において、血圧監視装置８は、ゴム製袋を布製帯状袋内に有してたとえば患者の上腕部１２に巻回されるカフ１０と、このカフ１０に配管２０を介してそれぞれ接続された圧力センサ１４、切換弁１６、および空気ポンプ１８とを備えている。この切換弁１６は、カフ１０内への圧力の供給を許容する圧力供給状態、カフ１０内を徐々に排圧する徐速排圧状態、およびカフ１０内を急速に排圧する急速排圧状態の３つの状態に切り換えられるように構成されている。
【００１５】
圧力センサ１４は、カフ１０内の圧力を検出してその圧力を表す圧力信号ＳＰを静圧弁別回路２２および脈波弁別回路２４にそれぞれ供給する。静圧弁別回路２２はローパスフィルタを備え、圧力信号ＳＰに含まれる定常的な圧力すなわちカフ圧を表すカフ圧信号ＳＫを弁別してそのカフ圧信号ＳＫをＡ／Ｄ変換器２６を介して電子制御装置２８へ供給する。
【００１６】
上記脈波弁別回路２４はバンドパスフィルタを備え、圧力信号ＳＰの振動成分である脈波信号ＳＭ１  を周波数的に弁別してその脈波信号ＳＭ１  をＡ／Ｄ変換器３０を介して電子制御装置２８へ供給する。この脈波信号ＳＭ１  が表すカフ脈波は、患者の心拍に同期して図示しない上腕動脈から発生してカフ１０に伝達される圧力振動波であり、上記カフ１０、圧力センサ１４、および脈波弁別回路２４は、血圧測定のための脈波センサとして機能している。
【００１７】
上記電子制御装置２８は、ＣＰＵ２９，ＲＯＭ３１，ＲＡＭ３３，および図示しないＩ／Ｏポート等を備えた所謂マイクロコンピュータにて構成されており、ＣＰＵ２９は、ＲＯＭ３１に予め記憶されたプログラムに従ってＲＡＭ３３の記憶機能を利用しつつ信号処理を実行することにより、Ｉ／Ｏポートから駆動信号を出力して切換弁１６および空気ポンプ１８を制御する。
【００１８】
圧脈波検出プローブ３４は、前記カフ１０が装着されているか或いは装着されていない上腕部１２の動脈下流側の手首４２において、容器状を成すハウジング３６の開口端が体表面３８に対向する状態で装着バンド４０により手首４２に着脱可能に取り付けられるようになっている。ハウジング３６の内部には、ダイヤフラム４４を介して圧脈波センサ４６が相対移動可能かつハウジング３６の開口端からの突出し可能に設けられており、これらハウジング３６およびダイヤフラム４４等によって圧力室４８が形成されている。この圧力室４８内には、空気ポンプ５０から調圧弁５２を経て圧力エアが供給されるようになっており、これにより、圧脈波センサ４６は圧力室４８内の圧力に応じた押圧力ＰＨＤで前記体表面３８に押圧される。
【００１９】
上記圧脈波センサ４６は、たとえば、単結晶シリコン等から成る半導体チップの押圧面５４に多数の半導体感圧素子（図示せず）が配列されて構成されており、手首４２の体表面３８の撓骨動脈５６上に押圧されることにより、撓骨動脈５６から発生して体表面３８に伝達される圧力振動波すなわち圧脈波を検出し、その圧脈波を表す圧脈波信号ＳＭ２  をＡ／Ｄ変換器５８を介して電子制御装置２８へ供給する。
【００２０】
また、前記電子制御装置２８のＣＰＵ２９は、ＲＯＭ３１に予め記憶されたプログラムに従って、空気ポンプ５０および調圧弁５２へ駆動信号を出力し、圧力室４８内の圧力すなわち圧脈波センサ４６の皮膚に対する押圧力を調節する。これにより、血圧監視に際しては、圧力室４８内の圧力変化過程で逐次得られる圧脈波に基づいて圧脈波センサ４６の最適押圧力ＰＨＤＰ  が決定され、圧脈波センサ４６の最適押圧力ＰＨＤＰ  を維持するように調圧弁５２が制御される。
【００２１】
さらに、カード入力装置６０は、それに装着された診察カード６２の記憶内容を読み取り、電子制御装置２８へ出力する。この診察カード６２は、生体（患者）固有の識別コードや、それまでの診察時において測定された過去の血圧値が記憶されている。なお、記憶装置６４には、監視期間内において正常時の生体情報が順次記憶されるようになっている。
【００２２】
図３は、上記血圧監視装置８における電子制御装置２８の制御機能の要部を説明する機能ブロック線図である。図において、血圧測定手段７２は、患者の最高血圧より高く設定された昇圧目標値たとえば１８０ｍｍＨｇ程度の値までカフ１０を昇圧させた後に、３ｍｍＨｇ／ｓｅｃ程度の速度で緩やかに降圧させ、その圧迫圧力緩速変化過程において脈波弁別回路２４により採取される脈波の大きさの変化に基づいて良く知られたオシロメトリック法（ＪＩＳ  Ｔ  １１１５）により患者の最高血圧値ＳＡＰおよび最低血圧値ＤＡＰを測定し、血圧測定が終了するとカフ１０の圧力を解放させる。
【００２３】
圧脈波センサ４６は、好ましくは患者のカフ１０が装着される腕と異なる腕の手首に押圧されることによりその手首の撓骨動脈から発生する圧脈波を検出する。圧脈波血圧対応関係決定手段７４は、圧脈波センサ４６により検出される圧脈波の大きさＰＭ  と血圧測定手段７２により測定された血圧値（監視血圧値ＭＢＰ）との間の対応関係を所定の患者について予め決定する。この対応関係は、たとえば図２に示すものであり、ＭＢＰ＝Ａ・ＰＭ  ＋Ｂ式により表される。但し、Ａは傾きを示す定数、Ｂは切片を示す定数である。監視血圧値決定手段７６は、その対応関係から圧脈波センサ４６により検出される圧脈波の大きさＰＭ  すなわち最高値（上ピーク値）ＰＭ２ｍａｘ  および最低値（下ピーク値）ＰＭ２ｍｉｎ  に基づいて最高血圧値ＭＢＰＳＹＳ  および最低血圧値ＭＢＰＤＩＡ  （モニタ血圧値）を逐次決定し、その決定した監視血圧値ＭＢＰを表示器３２に出力させると同時に、血圧値に較正された圧脈波すなわち連続血圧波形を出力させる。上記圧脈波センサ４６、血圧測定手段７２、圧脈波血圧対応関係決定手段７４、および監視血圧値決定手段７６は、生体情報の一種である血圧波形を連続的に測定する生体情報測定手段７８を構成している。
【００２４】
生体情報記憶手段８０は、監視が開始された後の正常である期間に測定された生体情報すなわち連続血圧波形を前記記憶装置６４に逐次記憶させる。この記憶装置６４内の記憶内容は逐次更新される。異常判定手段８２は、上記連続血圧波形が予め設定された判断基準範囲たとえば７０ｍｍＨｇ乃至１５０ｍｍＨｇの範囲から外へ超えたか否かを判定し、超えたと判定されると、血圧異常信号を出力する。
【００２５】
表示制御手段８４は、上記異常判定手段８２により連続血圧波形が示す血圧値が異常であると判定された場合には、異常時の連続血圧波形と生体情報記憶手段８０に記憶されている正常時の連続血圧波形とを、共通の表示領域内で対比可能に表示器３２に表示させる。図５はその表示例であり、時間軸と信号値軸とから成る共通の二次元座標内において、脈波列で示される正常時の連続血圧波形に対して同様に脈波列で示される異常時の連続血圧波形が表示されている。異常判定時において、正常時の連続血圧波形に対して異常時の連続血圧波形の乖離状態を見ることにより、異常の程度すなわち緊急度を容易に判断することができる。
【００２６】
上記表示制御手段８４は、上記連続血圧波形の振幅値および波長を正規化処理を行うことにより正常時の連続血圧波形と異常時の連続血圧波形の振幅値および波長をそれぞれ一致させる正規化処理手段８６と、正規化処理により振幅値および波長が一致させられた正常時の連続血圧波形の１波形（すなわち正常時の脈波）と異常時の連続血圧波形の１波形（すなわち異常時の脈波）との面積差を定量的に示す面積差指標値を算出する面積差指標値算出手段８８とをさらに含む。これにより、表示制御手段８４は、図６に例示するように、正常時の脈波と異常時の脈波との振幅および波長を相互に一致させ、且つ同位相で相互に重ねた状態で表示器３２に表示させると同時に、面積差指標値算出手段８８により算出された面積差を定量的に示す面積差指標値、たとえば、正常時の脈波面積Ｓ１  に対する異常時の脈波面積Ｓ２  の面積差（Ｓ１  −Ｓ２  ）、正常時の脈波面積に対する異常時の脈波面積の割合Ｓ２  ／Ｓ１  （％）、正常時の脈波面積Ｓ１  に対する面積差（Ｓ１  −Ｓ２  ）の割合（Ｓ１  −Ｓ２  ）／Ｓ１  （％）などが表示される。図６では、正常時の脈波面積に対する異常時の脈波面積の割合Ｓ２  ／Ｓ１  （％）が表示器３２に表示されている。
【００２７】
図４は、上記電子制御装置２８の制御作動の要部を説明するフローチャートである。図のステップＳＡ１（以下、ステップを省略する。）では、圧力室４８内が徐速昇圧させられ、この圧力室４８内の徐速昇圧過程で圧脈波センサ４６により逐次検出される圧脈波の振幅が最大となる圧力室４８内の圧力すなわち圧脈波センサ４６の最適押圧力ＰＨＤＰ  が決定されるとともに、圧力室４８内の圧力がその最適押圧力ＰＨＤＰ  に保持されることにより、圧脈波センサ４６の押圧力が最適な一定値にホールドされる。
【００２８】
次いで、ＳＡ２では、血圧測定のためにカフ１０の昇圧が開始される。次いで、血圧測定手段７２に対応するＳＡ３において血圧測定アルゴリズムが実行される。すなわち、切換弁１６を圧力供給状態に切り換え且つ空気ポンプ１８を作動させてカフ１０内の圧力を患者の予想される最高血圧値よりも高い目標圧力（たとえば１８０ｍｍＨｇ）までＳＡ２の昇圧に引き続いて昇圧させた後、空気ポンプ１８を停止させ且つ切換弁１６を徐速排圧状態に切り換えてカフ１０内の圧力を予め定められた３ｍｍＨｇ／ｓｅｃ程度の緩やかな速度で下降させることにより、この徐速降圧過程で逐次得られる脈波信号ＳＭ１  が表す脈波の振幅の変化に基づいて、良く知られたオシロメトリック方式の血圧値決定アルゴリズムに従って最高血圧値ＳＡＰ、平均血圧値ＭＡＰ、および最低血圧値ＤＡＰが測定されるとともに、脈波間隔に基づいて脈搏数などが決定されるのである。そして、その測定された血圧値および脈搏数などが表示器３２に表示されるとともに、切換弁１６が急速排圧状態に切り換えられてカフ１０内が急速に排圧される。
【００２９】
次に、前記圧脈波血圧対応関係決定手段７４に対応するＳＡ４では、圧脈波センサ４６からの圧脈波の大きさ（絶対値すなわち圧脈波信号ＳＭ２  の大きさ）と上記ＳＡ３において測定されたカフ１０による血圧値ＳＡＰ、ＤＡＰとの間の対応関係が求められる。すなわち、圧脈波センサ４６からの圧脈波が１拍読み込まれ且つその圧脈波の最高値ＰＭ２ｍａｘ  および最低値ＰＭ２ｍｉｎ  が決定されるとともに、それら圧脈波の最高値ＰＭ２ｍａｘ  および最低値ＰＭ２ｍｉｎ  とＳＡ３にてカフ１０により測定された最高血圧値ＳＡＰおよび最低血圧値ＤＡＰとに基づいて、図２に示す圧脈波の大きさＰＭ  と血圧値との間の対応関係が決定されるのである。
【００３０】
上記のようにして圧脈波血圧対応関係が決定されると、ＳＡ５において１つの脈波が入力されたか否かが判断される。このＳＡ５の判断が否定された場合には１つの脈波が入力されるまで待機させられるが、ＳＡ５の判断が肯定された場合には、前記監視血圧値決定手段７６に対応するＳＡ６およびＳＡ７において、前記最適押圧力ＰＨＤＰ  における圧脈波センサ４６からの圧脈波の最高値ＰＭ２ｍａｘ  （上ピーク値）および最低値ＰＭ２ｍｉｎ  （下ピーク値）がそれぞれ決定され、次いでＳＡ４にて求められた図２の圧脈波血圧対応関係から、上記圧脈波の最高値ＰＭ２ｍａｘ  および最低値ＰＭ２ｍｉｎ  に基づいて最高血圧値ＭＢＰＳＹＳ  および最低血圧値ＭＢＰＤＩＡ  （モニタ血圧値）が決定されるとともに、その決定されたモニタ血圧値が上記圧脈波血圧対応関係により較正された圧脈波の連続波形（連続血圧波形）と共に表示器３２に表示される。
【００３１】
次いで、前記異常判定手段８２に対応するＳＡ８では、上記ＳＡ７において決定されたモニタ血圧値が予め決定された判断基準範囲内であるか否かが判断される。この判断基準値は、生体の血圧値が異常であるか否かを判断するために予め設定されたものであり、たとえば最高血圧値ＭＢＰＳＹＳ  が１５０ｍｍＨｇ以下且つ最低血圧値ＭＢＰＤＩＡ  が７０ｍｍＨｇ以上の範囲に設定される。
【００３２】
上記ＳＡ８の判断が否定された場合は、血圧値が異常である状態であるから、前記正規化処理手段８６に対応するＳＡ９において、正常状態の圧脈波および異常判定された圧脈波の振幅および波長を一致させるための正規化処理が実行され、次いで前記面積差指標値算出手段８８に対応するＳＡ１０において、面積差指標値たとえば、正常時の脈波面積Ｓ１  に対する異常時の脈波面積Ｓ２  の面積差（Ｓ１  −Ｓ２  ）、正常時の脈波面積に対する異常時の脈波面積の割合Ｓ２  ／Ｓ１  （％）、正常時の脈波面積Ｓ１  に対する面積差（Ｓ１  −Ｓ２  ）の割合（Ｓ１  −Ｓ２  ）／Ｓ１  （％）のいずれかが算出される。
【００３３】
そして、ＳＡ１１において、血圧値の異常を示す異常信号が出力される。たとえば、表示器３２において点滅、色、拡大表示など視覚的に表示する信号、音声により異常表示する信号、他の機器を起動させる起動信号などとして出力される。同時に、たとえば図５および図６にそれぞれ示すように、正常時の圧脈波と異常時の圧脈波とが共通の表示領域内において対比可能に表示されるとともに、図６に示すように面積差指標値が表示される。
【００３４】
そして、上記ＳＡ１１の次にＳＡ１２が実行される。このＳＡ１２は、前記ＳＡ８の判断が肯定された場合は直ちに実行される。ＳＡ１２では、前記ステップＳＡ３においてカフ１０による血圧測定が行われてからの経過時間が予め設定された設定周期たとえば数十分程度のキャリブレーション周期を経過したか否かが判断される。このＳＡ１２の判断が否定された場合には、前記ＳＡ５以下の血圧監視ルーチンが繰り返し実行され、最高監視血圧値ＭＢＰＳＹＳ  および最低監視血圧値ＭＢＰＤＩＡ  が１拍毎に連続的に決定され且つ表示される。しかし、このＳＡ１２の判断が肯定された場合には、前記対応関係を再決定するために前記ＳＡ２以下が再び実行される。
【００３５】
上述のように、本実施例によれば、生体情報記憶手段８０に対応する記憶装置６４には、正常である期間に測定された連続血圧波形が記憶される。異常判定手段８２に対応するＳＡ８により実際の血圧波形が予め設定された判断基準範囲を超える異常であると判定されると、表示制御手段８４に対応するＳＡ９乃至ＳＡ１１により、異常判定されたその血圧波形と正常時の血圧波形とが共通の表示領域内で対比可能に表示されることから、異常判定時において、異常とされた血圧波形と正常時の血圧波形との差を見ることにより異常の程度すなわち緊急度を容易に判断することが可能となる。
【００３６】
また、本実施例によれば、表示制御手段８４により、図５に示すように、時間軸と信号値軸とから成る共通の二次元座標内において、正常時の脈波列（血圧波形）と異常時の脈波列（血圧波形）とが表示させられるので、正常時の脈波列と異常時の脈波列との相互の大きさすなわち振幅値（最高血圧値と最低血圧値との圧力差すなわち脈圧）を正確に対比することが可能となる利点がある。
【００３７】
また、本実施例によれば、表示制御手段８４により、図６に示すように、正常時の脈波（血圧波形）と異常時の脈波（血圧波形）とが相互の位相を一致させた状態で表示させられる。このようにすれば、正常時の脈波と異常時の脈波との形状の対比が一層容易となる。
【００３８】
また、本実施例によれば、表示制御手段８４は、正常時の脈波および異常時の脈波の振幅および波長の少なくとも一方が相互に一致するように正規化を行う正規化処理手段８６を含み、その正規化処理手段８６により正規化された正常時の脈波および異常時の脈波を相互に重ねた状態で表示させるので、正常時の脈波および異常時の脈波の形状の変化を観察することが一層容易となる。
【００３９】
また、本実施例によれば、表示制御手段８４は、正規化処理手段８６により正規化された正常時の脈波と異常時の脈波との間の面積差を定量的に示す面積差指標値を算出する面積差指標値算出手段８８を含み、その面積差指標値算出手段８８により算出された面積差指標値を表示するので、正常時の脈波と異常時の脈波との間の波形形状の差が定量的に把握される利点がある。
【００４０】
以上、本発明の一実施例を図面に基づいて説明したが、本発明はその他の態様においても適用される。
【００４１】
たとえば、前述の実施例では、図５に示すように正常時の脈波列と異常時の脈波列とが共通の表示領域内において対比可能に表示されると同時に、図６に示すように正常時の１脈波と異常時の１脈波とが共通の表示領域内において対比可能に表示されていたが、いずれか一方であっても、本発明の効果が得られる。図５に示す表示のみが行われる場合には、正規化処理手段８６および面積差指標値算出手段８８が不要となる。
【００４２】
また、前述のＳＡ８において用いられる判断基準範囲は、正常時に測定された血圧値に基づいて自動的に設定されてもよい。また、血圧値の異常判断は、最高血圧値、平均血圧値、或いは最低血圧値のいずれかが、それらのために設定された判断基準範囲を超えたときに行われるようにしてもよい。
【００４３】
また、前述の実施例では、生体情報として、血圧値が用いられていたが、それに替えて、血中酸素飽和度、体温、心拍数、あるいはそれらのゆらぎ（所定周波数における周波数解析値）などが用いられてもよい。
【００４４】
また、前述の実施例において、前記血圧測定手段７２は、所謂オシロメトリック法に従い、カフ１０の圧迫圧力に伴って変化する圧脈波の大きさの変化状態に基づいて血圧値を決定するように構成されていたが、所謂コロトコフ音法に従い、カフ１０の圧迫圧力に伴って発生および消滅するコロトコフ音に基づいて血圧値を決定するように構成されてもよい。
【００４５】
その他、本発明はその主旨を逸脱しない範囲において種々変更が加えられ得るものである。
【図面の簡単な説明】
【図１】本発明の一実施例である血圧監視装置の構成を示すブロック図である。
【図２】図１の実施例において用いられる対応関係を例示する図である。
【図３】図１の実施例の制御装置の制御機能の要部を説明する機能ブロック線図である。
【図４】図１の実施例の制御装置の制御作動の要部を説明するフローチャートである。
【図５】図４の制御作動によって得られる表示例を示す図である。
【図６】図４の制御作動によって得られる他の表示例を示す図である。
【符合の説明】
８：血圧監視装置（生体情報監視装置）
７８：生体情報測定手段
８０：生体情報記憶手段
８２：異常判定手段
８４：表示制御手段
８６：正規化処理手段
８８：面積差指標値算出手段
【図１】
0003599819.tif 000002
【図２】
0003599819.tif 000003
【図３】
0003599819.tif 000004
【図４】
0003599819.tif 000005
【図５】
0003599819.tif 000006
【図６】
0003599819.tif 000007